(57)【要約】【課題】消費電流を増加させることなく、基準電圧を安定化させて、リップルリジェクション特性を向上した電源装置及びその電源装置を含む携帯機器を提供すること。【解決手段】電源装置は、出力電圧に応じた帰還電圧と基準電圧とを比較し、その比較結果に基づいて出力電圧を出力する出力回路を制御するとともに、外部からの動作指令信号に応じて動作状態もしくは停止状態に制御される。その基準電圧を発生する基準電圧発生回路は、動作指令信号の電圧レベルが、所定電圧レベルを超えるときに動作状態に制御され、所定電圧レベルに達しないときに停止状態に制御されるとともに、動作指令信号の電圧を動作電圧とする。【選択図】      図１
2006133934.tif 000002
【特許請求の範囲】
【請求項１】
電源電圧を調整して所定の出力電圧を出力する出力回路と、前記出力電圧に応じた帰還電圧と基準電圧とを比較し、その比較結果に基づいて前記帰還電圧が前記基準電圧に等しくなるように前記出力回路を制御する誤差増幅回路と、前記基準電圧を発生する基準電圧発生回路とを有し、外部からの制御信号に応じて前記出力電圧を出力可能状態に制御される電源装置であって、
前記基準電圧発生回路は、前記制御信号の電圧を動作電圧とすることを特徴とする、電源装置。
【請求項２】
電源電圧を調整して所定の出力電圧を出力する出力回路と、前記出力電圧に応じた帰還電圧と基準電圧とを比較し、その比較結果に基づいて前記帰還電圧が前記基準電圧に等しくなるように前記出力回路を制御する誤差増幅回路と、前記基準電圧を発生する基準電圧発生回路とを有し、外部からの動作指令信号に応じて動作状態もしくは停止状態に制御される電源装置であって、
前記基準電圧発生回路は、前記動作指令信号の電圧レベルが、所定電圧レベルを超えるときに動作状態に制御され、所定電圧レベルに達しないときに停止状態に制御されるとともに、前記動作指令信号の電圧を動作電圧とすることを特徴とする、電源装置。
【請求項３】
前記動作指令信号の電圧レベルが前記所定電圧レベルを超えるかどうかを検出する電圧レベル検出回路を有し、この電圧レベル検出回路の検出結果に応じて前記基準電圧発生回路の動作状態もしくは停止状態が決定されることを特徴とする、請求項２に記載の電源装置。
【請求項４】
電源電圧を発生する電池電源と、
前記電源電圧を調整して所定の出力電圧を出力する出力回路と、前記出力電圧に応じた帰還電圧と基準電圧とを比較し、その比較結果に基づいて前記帰還電圧が前記基準電圧に等しくなるように前記出力回路を制御する誤差増幅回路と、前記基準電圧を発生する基準電圧発生回路とを有し、外部からの制御信号に応じて前記出力電圧を出力可能状態に制御される電源装置であって、前記基準電圧発生回路は、前記制御信号の電圧を動作電圧とする電源装置と、
前記制御信号を発生する制御装置と、
前記出力電圧が供給される負荷装置と、を備えることを特徴とする、携帯機器。
【請求項５】
電源電圧を発生する電池電源と、
前記電源電圧を調整して所定の出力電圧を出力する出力回路と、前記出力電圧に応じた帰還電圧と基準電圧とを比較し、その比較結果に基づいて前記帰還電圧が前記基準電圧に等しくなるように前記出力回路を制御する誤差増幅回路と、前記基準電圧を発生する基準電圧発生回路とを有し、外部からの動作指令信号に応じて動作状態もしくは停止状態に制御される電源装置であって、前記基準電圧発生回路は、前記動作指令信号の電圧レベルが、所定電圧レベルを超えるときに動作状態に制御され、所定電圧レベルに達しないときに停止状態に制御されるとともに、前記動作指令信号の電圧を動作電圧とする電源装置と、
前記動作指令信号を発生する制御装置と、
前記出力電圧が供給される負荷装置と、を備えることを特徴とする、携帯機器。
【請求項６】
電源電圧を発生する電池電源と、
前記電源電圧を調整して所定の出力電圧を出力する出力回路と、前記出力電圧に応じた帰還電圧と基準電圧とを比較し、その比較結果に基づいて前記帰還電圧が前記基準電圧に等しくなるように前記出力回路を制御する誤差増幅回路と、前記基準電圧を発生する基準電圧発生回路とを有し、外部からの動作指令信号に応じて動作状態もしくは停止状態に制御される電源装置であって、前記基準電圧発生回路は、前記動作指令信号の電圧レベルが、所定電圧レベルを超えるときに動作状態に制御され、所定電圧レベルに達しないときに停止状態に制御されるとともに、前記動作指令信号の電圧を動作電圧とする電源装置と、
前記電源電圧を平滑して前記動作指令信号として出力する平滑回路と、
前記出力電圧が供給される負荷装置と、を備えることを特徴とする、携帯機器。
【請求項７】
前記電源装置は、前記動作指令信号の電圧レベルが前記所定電圧レベルを超えるかどうかを検出する電圧レベル検出回路を有し、この電圧レベル検出回路の検出結果に応じて前記基準電圧発生回路の動作状態もしくは停止状態が決定されることを特徴とする、請求項５または６に記載の携帯機器。
【発明の詳細な説明】
【技術分野】
【０００１】
本発明は、電池などの直流電源からの電源電圧を所定の出力電圧に変換して出力する電源装置、及びその電源装置を組み込んだ携帯機器に関する。
【背景技術】
【０００２】
直流電源からの電源電圧を所定の出力電圧に変換して出力する、シリーズレギュレータなどの電源装置では、電源電圧のリップルに対して、リップル成分を除去し安定した出力電圧を出力することが求められる。
【０００３】
この電源装置は、出力電圧に応じた帰還電圧が、基準電圧に等しくなるように制御される。したがって、出力電圧に含まれるリップル成分の除去（以下、リップルリジェクション）は、基準電圧の安定性に大きく依存するから、基準電圧を安定させることが必要である。
【０００４】
この基準電圧は、通常、当該電源装置へ供給される電源電圧を用いて、基準電圧発生回路により形成される。このため、基準電圧にそのリップルが含まれてしまうから、十分なリップルリジェクションを行うことが困難である。
【０００５】
この問題を解決するために、電源電圧を安定化させた電圧を出力する電圧調整回路（以下、プリ電源回路）を設ける。そのプリ電源回路の出力電圧を、基準電圧発生回路にそれを動作させるための動作電圧として供給する。これにより、電源電圧の変動に対するリップルリジェクション特性を改善することが提案されている（特許文献１）。
【０００６】
しかし、プリ電源回路を設けることにより、そのプリ電源回路での消費電流が増加する。電池を電源とする携帯機器においては、電池の継続使用できる時間を長くするために、消費電流を少なくすることが特に要請される。したがって、プリ電源回路を設けることにより、消費電流が増加することは望ましくない。
【０００７】
また、プリ電源回路を動作させるために、プリ電源回路の出力電圧は電源電圧よりある程度低い電圧になる。この理由により、所定の基準電圧を発生させることが可能な電源電圧が、プリ電源回路を用いない場合に比して、より高い電圧レベルに制限される。即ち、電源装置としての減電特性が悪化する。これにより、電池電源からの電源電圧の利用可能な下限レベルが高くなるので、電池電源の使用可能な時間が短くなってしまう問題もある。
【特許文献１】特開２００１−８４０４３号公報
【発明の開示】
【発明が解決しようとする課題】
【０００８】
そこで、本発明は、消費電流を増加させることなく、基準電圧を安定化させて、リップルリジェクション特性を向上した電源装置及びその電源装置を含む携帯機器を提供することを目的とする。
【課題を解決するための手段】
【０００９】
請求項１の電源装置は、電源電圧を調整して所定の出力電圧を出力する出力回路と、前記出力電圧に応じた帰還電圧と基準電圧とを比較し、その比較結果に基づいて前記帰還電圧が前記基準電圧に等しくなるように前記出力回路を制御する誤差増幅回路と、前記基準電圧を発生する基準電圧発生回路とを有し、外部からの制御信号に応じて前記出力電圧を出力可能状態に制御される電源装置であって、
前記基準電圧発生回路は、前記制御信号の電圧を動作電圧とすることを特徴とする。
【００１０】
請求項２の電源装置は、電源電圧を調整して所定の出力電圧を出力する出力回路と、前記出力電圧に応じた帰還電圧と基準電圧とを比較し、その比較結果に基づいて前記帰還電圧が前記基準電圧に等しくなるように前記出力回路を制御する誤差増幅回路と、前記基準電圧を発生する基準電圧発生回路とを有し、外部からの動作指令信号に応じて動作状態もしくは停止状態に制御される電源装置であって、
前記基準電圧発生回路は、前記動作指令信号の電圧レベルが、所定電圧レベルを超えるときに動作状態に制御され、所定電圧レベルに達しないときに停止状態に制御されるとともに、前記動作指令信号の電圧を動作電圧とすることを特徴とする。
【００１１】
請求項３の電源装置は、請求項２に記載の電源装置において、前記動作指令信号の電圧レベルが前記所定電圧レベルを超えるかどうかを検出する電圧レベル検出回路を有し、この電圧レベル検出回路の検出結果に応じて前記基準電圧発生回路の動作状態もしくは停止状態が決定されることを特徴とする。
【００１２】
請求項４の携帯機器は、電源電圧を発生する電池電源と、
前記電源電圧を調整して所定の出力電圧を出力する出力回路と、前記出力電圧に応じた帰還電圧と基準電圧とを比較し、その比較結果に基づいて前記帰還電圧が前記基準電圧に等しくなるように前記出力回路を制御する誤差増幅回路と、前記基準電圧を発生する基準電圧発生回路とを有し、外部からの制御信号に応じて前記出力電圧を出力可能状態に制御される電源装置であって、前記基準電圧発生回路は、前記制御信号の電圧を動作電圧とする電源装置と、
前記制御信号を発生する制御装置と、
前記出力電圧が供給される負荷装置と、を備えることを特徴とする。
【００１３】
請求項５の携帯機器は、電源電圧を発生する電池電源と、
前記電源電圧を調整して所定の出力電圧を出力する出力回路と、前記出力電圧に応じた帰還電圧と基準電圧とを比較し、その比較結果に基づいて前記帰還電圧が前記基準電圧に等しくなるように前記出力回路を制御する誤差増幅回路と、前記基準電圧を発生する基準電圧発生回路とを有し、外部からの動作指令信号に応じて動作状態もしくは停止状態に制御される電源装置であって、前記基準電圧発生回路は、前記動作指令信号の電圧レベルが、所定電圧レベルを超えるときに動作状態に制御され、所定電圧レベルに達しないときに停止状態に制御されるとともに、前記動作指令信号の電圧を動作電圧とする電源装置と、
前記動作指令信号を発生する制御装置と、
前記出力電圧が供給される負荷装置と、を備えることを特徴とする。
【００１４】
請求項６の携帯機器は、電源電圧を発生する電池電源と、
前記電源電圧を調整して所定の出力電圧を出力する出力回路と、前記出力電圧に応じた帰還電圧と基準電圧とを比較し、その比較結果に基づいて前記帰還電圧が前記基準電圧に等しくなるように前記出力回路を制御する誤差増幅回路と、前記基準電圧を発生する基準電圧発生回路とを有し、外部からの動作指令信号に応じて動作状態もしくは停止状態に制御される電源装置であって、前記基準電圧発生回路は、前記動作指令信号の電圧レベルが、所定電圧レベルを超えるときに動作状態に制御され、所定電圧レベルに達しないときに停止状態に制御されるとともに、前記動作指令信号の電圧を動作電圧とする電源装置と、
前記電源電圧を平滑して前記動作指令信号として出力する平滑回路と、
前記出力電圧が供給される負荷装置と、を備えることを特徴とする。
【００１５】
請求項７の携帯機器は、請求項５または６に記載の携帯機器において、前記電源装置は、前記動作指令信号の電圧レベルが前記所定電圧レベルを超えるかどうかを検出する電圧レベル検出回路を有し、この電圧レベル検出回路の検出結果に応じて前記基準電圧発生回路の動作状態もしくは停止状態が決定されることを特徴とする。
【発明の効果】
【００１６】
本発明によれば、電源装置の基準電圧発生回路への動作電圧として、その電源装置への動作指令信号等の制御信号を使用する。この動作指令信号等の制御信号は、コンピュータなどを含む制御装置から供給されたり、あるいは電源電圧が平滑回路で平滑されて供給されるから、リップル成分が少なく、安定した電圧レベルで供給される。したがって、基準電圧発生回路から安定した基準電圧が発生されるので、リップルリジェクション特性が向上する。
【００１７】
また、プリ電源回路を設けなくてよいから、消費電流が増加することもなく、減電特性が悪化することもないので、従来のものに比して、電池の継続使用できる時間を長くすることができる。
【００１８】
また、動作指令信号等の制御信号を、電源装置の動作あるいは停止を指令する等の本来の用途に加えて、基準電圧発生回路への動作電圧としても用いるから、端子数を増加させることもない。したがって、ＩＣ化された電源装置の端子数を少なくすることができる。
【発明を実施するための最良の形態】
【００１９】
以下、本発明の電源装置及び携帯機器の実施例について、図を参照して説明する。なお、本発明の電源装置は、ＬＳＩに作り込まれるので、半導体装置と言い換えてもよい。
【００２０】
図１は、本発明の第１実施例に係る電源装置及びそれを用いた携帯機器の構成を示す図である。
【００２１】
図１において、電池電源ＢＡＴは、電源電圧Ｖｃｃを発生する。この電源電圧Ｖｃｃは、電池電源ＢＡＴの充放電の状態に応じて電圧レベルが変わってくるし、また、負荷装置の負荷量の変化に応じたリップル成分を含む。
【００２２】
この電源電圧Ｖｃｃが、電源装置１００に電源電圧入力端子Ｐｖｃｃから入力される。出力回路１０は、出力トランジスタ１１を含むシリーズレギュレータ形式で構成されており、制御信号にしたがって、電源電圧Ｖｃｃが所定の出力電圧Ｖｏｕｔに調整されて、出力される。出力トランジスタ１１は、Ｐ型ＭＯＳトランジスタでよい。出力回路１０は、図１では、出力トランジスタ１１を用いたシリーズレギュレータとしているが、これに限らず、スイッチング型の出力回路でもよい。
【００２３】
出力電圧Ｖｏｕｔは、電源装置１００の出力端子Ｐｖｏｕｔから、出力平滑用キャパシタ３１０、負荷装置３２０に供給される。Ｉｏは、出力電流である。出力電圧Ｖｏｕｔが分圧抵抗１２、１３で分圧されて帰還電圧Ｖｆｂとなる。
【００２４】
誤差増幅回路２０は、エラーアンプを含み、帰還電圧Ｖｆｂと基準電圧Ｖｒｅｆとを比較し、その比較結果に基づいて帰還電圧Ｖｆｂが基準電圧Ｖｒｅｆに等しくなるように出力トランジスタ１１を制御する。
【００２５】
基準電圧発生回路３０は、動作電圧が入力され、この動作電圧から所定レベルの基準電圧Ｖｒｅｆを発生する。基準電圧発生回路３０は、できるだけ安定した基準電圧Ｖｒｅｆを出力するように、例えばバンドギャップ型定電圧回路等により構成されることがよい。しかし、動作電圧にリップル成分が含まれている場合には、基準電圧発生回路３０自体では基準電圧Ｖｒｅｆに含まれるリップル成分を十分に抑制することは困難である。したがって、基準電圧発生回路３０に入力される動作電圧を、リップル成分の少ない電圧にすることが必要である。
【００２６】
電源装置１００には、電源装置１００を動作状態もしくは停止状態に制御するための動作指令信号（即ち、スタンバイ信号）ＳＴＢが、動作指令信号用入力端子Ｐｓｔｂを介して入力される。動作指令信号ＳＴＢは、スタンバイ信号と言い換えてもよい。この電源装置１００の停止状態においては、電源装置１００の出力電圧Ｖｏｕｔ、出力電流Ｉｏは零であるとともに、電源装置１００の内部での消費電流は零もしくは最小限度のきわめて小さい電流に低減される。
【００２７】
動作指令信号ＳＴＢは、高（Ｈ）レベルもしくは低（Ｌ）レベルである。電源装置１００は、動作指令信号ＳＴＢがＨレベルの時に動作状態になり、Ｌレベルの時に停止状態になるように設定されている。この例では、誤差増幅回路２０と基準電圧発生回路３０が、動作指令信号ＳＴＢに応じて動作もしくは停止される。
【００２８】
動作指令信号ＳＴＢは、制御装置２００から供給される。動作指令信号ＳＴＢは、Ｈレベル時に動作指令電圧Ｖｓｔｂ（例えば、１．５〜３Ｖ程度）であり、Ｌレベル時に例えばグランドレベルである。この動作指令電圧Ｖｓｔｂが、基準電圧発生回路３０へ動作電圧として入力される。
【００２９】
電圧レベル検出回路４０は、動作指令信号ＳＴＢの電圧レベルが所定電圧レベルを超えるかどうかを検出する。この電圧レベル検出回路４０の検出結果に応じて基準電圧発生回路３０及び誤差増幅回路２０の動作状態もしくは停止状態が決定される。
【００３０】
電圧レベル検出回路４０は、抵抗器４１とＮ型ＭＯＳトランジスタ４２とが電源電圧Ｖｃｃとグランド間にその順序で直列に接続され、Ｎ型ＭＯＳトランジスタ４２のゲートに動作指令信号ＳＴＢが印加される。そして、抵抗器４１とＮ型ＭＯＳトランジスタ４２との接続点の電圧をインバータ４３で反転して、電圧検出結果として出力する。
【００３１】
なお、電圧レベル検出回路４０は電圧レベル変換回路として機能しているので、動作指令信号ＳＴＢの電圧レベルで、誤差増幅回路２０及び基準電圧発生回路３０の動作状態を制御できる場合には、電圧レベル検出回路４０を省略してもよい。
【００３２】
制御装置２００は、当該携帯機器の各装置の制御を司るコンピュータ２２０を含んでいる。また、制御装置２００は、電圧調整回路（レギュレータ）２１０を含んでおり、このレギュレータ２１０は電源電圧Ｖｃｃをコンピュータ２２０が必要とする電圧レベルに調整して、コンピュータ２２０へ供給する。電源電圧Ｖｃｃにリップル成分が含まれている場合でも、コンピュータ２２０にはリップル成分が抑制された電圧が、安定して供給される。
【００３３】
コンピュータ２２０は、その安定した電圧によって動作するから、動作指令信号ＳＴＢの動作指令電圧Ｖｓｔｂもリップル成分が少なく安定した電圧である。
【００３４】
また、電源電圧Ｖｃｃは、負荷装置３３０で代表されるように、当該携帯機器内の各種の負荷装置にも供給される。
【００３５】
この図１の携帯機器において、制御装置２００から動作指令信号ＳＴＢが発生されると、動作指令信号ＳＴＢの電圧レベルはステップ状に立ち上がるから、電圧レベル検出回路４０からＨレベルの検出結果が出力される。これにより、誤差増幅回路２０及び基準電圧発生回路３０、即ち電源装置１００は動作状態になる。
【００３６】
同時に、動作指令電圧Ｖｓｔｂが基準電圧発生回路３０に供給されて、基準電圧Ｖｒｅｆが発生される。誤差増幅回路２０及び出力トランジスタ１１が基準電圧Ｖｒｅｆに基づいて定電圧動作して、電源装置１００は所定の出力電圧Ｖｏｕｔを出力する。
【００３７】
この基準電圧Ｖｒｅｆは、リップル成分が抑圧された動作指令電圧Ｖｓｔｂが入力される基準電圧発生回路３０によって発生されているから、リップル成分はほとんど含まれていない。したがって、電源電圧Ｖｃｃにリップル成分が含まれている場合でも、出力電圧Ｖｏｕｔに含まれるリップル成分は著しく低減される。
【００３８】
このように、電源装置１００の基準電圧発生回路３０への動作電圧として、制御装置２００から供給される動作指令信号ＳＴＢを用いるから、リップルリジェクション特性が向上する。
【００３９】
また、従来のように、プリ電源回路を設けなくてよいから、消費電流が増加することもなく、減電特性も向上する。したがって、電池電源ＢＡＴの継続使用できる時間を長くすることができる。
【００４０】
また、動作指令信号ＳＴＢを、電源装置１００の動作あるいは停止を指令する本来の用途に加えて、基準電圧発生回路３０への動作電圧としても用いるから、ＩＣ化された電源装置の端子数を増加させることもない。
【００４１】
図２は、本発明の第２実施例に係る電源装置及びそれを用いた携帯機器の構成を示す図である。
【００４２】
図２の第２実施例においては、動作指令信号ＳＴＢの他に、電源装置１００を、その出力電圧Ｖｏｕｔを出力可能状態に制御するための制御信号としてのチップセレクト信号（チップイネーブル信号）ＣＥが、チップセレクト信号用入力端子Ｐｃｅを介して入力されている。
【００４３】
チップセレクト信号ＣＥは、ＨレベルもしくはＬレベルである。電源装置１００は、チップセレクト信号ＣＥがＨレベルの時に出力可能状態に制御され、Ｌレベルの時に出力不能状態に制御されるように設定されている。
【００４４】
チップセレクト信号ＣＥは、制御装置２００から供給される。チップセレクト信号ＣＥは、Ｈレベル時にチップセレクト電圧Ｖｃｅ（例えば、１．５〜３Ｖ程度）であり、Ｌレベル時に例えばグランドレベルである。このチップセレクト電圧Ｖｃｅが、基準電圧発生回路３０へ動作電圧として入力される。チップセレクト信号ＣＥのチップセレクト電圧Ｖｃｅもリップル成分が少なく安定した電圧である。
【００４５】
また、制御信号としては、電源装置１００を、その出力電圧Ｖｏｕｔを出力可能状態に制御するものであればよく、例えば、リセット信号も使用できる。
【００４６】
この図２の携帯機器において、制御装置２００からチップセレクト信号ＣＥが発生されると、チップセレクト信号ＣＥの電圧レベルはステップ状に立ち上がるから、電源装置１００は、出力電圧Ｖｏｕｔを出力し得る状態になる。
【００４７】
同時に、チップセレクト電圧Ｖｃｅが基準電圧発生回路３０に動作電圧として供給される。
【００４８】
一方、制御装置２００から動作指令信号ＳＴＢが発生されると、動作指令信号ＳＴＢの電圧レベルはステップ状に立ち上がるから、電圧レベル検出回路４０からＨレベルの検出結果が出力される。これにより、誤差増幅回路２０及び基準電圧発生回路３０、即ち電源装置１００は動作状態になる。
【００４９】
これにより、基準電圧発生回路３０から基準電圧Ｖｒｅｆが発生され、且つ、誤差増幅回路２０及び出力トランジスタ１１が基準電圧Ｖｒｅｆに基づいて定電圧動作して、電源装置１００は所定の出力電圧Ｖｏｕｔを出力する。
【００５０】
図２のその他の構成は、図１におけると同様であり、図２の第２実施例においても第１実施例と同様の効果を得ることができる。
【００５１】
図３は、本発明の第３実施例に係る電源装置及びそれを用いた携帯機器の構成を示す図である。
【００５２】
図３において、図１の制御装置２００に代えて、切替スイッチ回路２３０及び平滑回路２４０を設けている点で、図１と異なっている。その他は、図３は、図１と同様である。
【００５３】
切替スイッチ回路２３０は、切替スイッチ２３１を含んでいる。切替スイッチ２３１の共通端子ｃを電源電圧Ｖｃｃに接続された第１端子ａまたはグランドに接続された第２端子ｂのどちらかに切り替える。
【００５４】
平滑回路２４０は、抵抗器２４１とキャパシタ２４２からなり、電源電圧Ｖｃｃを平滑して動作指令信号ＳＴＢとして出力する。
【００５５】
切替スイッチ２３１が第２端子ｂ側にあるときには、動作指令信号ＳＴＢはＬレベルにある。したがって、この場合には、電源装置１００は停止状態にある。
【００５６】
切替スイッチ２３１が第１端子ａ側に切り替えられると、平滑回路２４０には電源電圧Ｖｃｃが入力される。電源電圧Ｖｃｃに含まれるリップル成分は平滑回路２４０の平滑作用によって減衰されて、動作指令信号ＳＴＢとして電源装置１００に供給される。
【００５７】
また、平滑回路２４０の平滑作用は、抵抗器２４１の抵抗値とキャパシタ２４２のキャパシタンスとにより決まる。この平滑回路２４０には、動作指令信号ＳＴＢとして極めて小さい電流（例えば数μＡ〜数１０μＡ）が流れるだけであるから、抵抗器２４１の抵抗値を大きくでき、キャパシタ２４２のキャパシタンスを小さくできる。したがって、本発明では、平滑回路２４０を小型化できるから、携帯機器に好適である。
【００５８】
仮に、この平滑回路２４０と同様の平滑作用を行う平滑回路を、負荷装置３２０、３３０等への負荷電流（例えば、数１００ｍＡ）が流れる電流経路に設けると想定する。この場合には、抵抗器による電圧降下を小さくする必要があるから、抵抗器の抵抗値を極めて小さくし、且つキャパシタのキャパシタンスを極めて大きくしなければならない。したがって、小型化を要請される携帯機器には、到底適用できない。
【００５９】
この第３実施例によれば、図１の第１実施例と同様の効果を得ることができる他、そのための構成を極めて簡素化且つ小型化できる。
【００６０】
なお、電源電圧Ｖｃｃを、切替スイッチ回路２３０を介することなく、直接に平滑回路２４０に供給するようにしてもよい。この場合には、切替スイッチ回路２３０を省略することができる。
【００６１】
また、平滑回路２４０として、抵抗器とキャパシタとを用いたものに限らず、コイルを用いたものや、コイルとキャパシタを用いたもの等、平滑作用を有するものであれば用いることができる。
【図面の簡単な説明】
【００６２】
【図１】本発明の第１実施例に係る電源装置及びそれを用いた携帯機器の構成を示す図
【図２】本発明の第２実施例に係る電源装置及びそれを用いた携帯機器の構成を示す図
【図３】本発明の第３実施例に係る電源装置及びそれを用いた携帯機器の構成を示す図
【符号の説明】
【００６３】
ＢＡＴ  電池電源
１００  電源装置
１０  出力回路
１１  出力トランジスタ
２０  誤差増幅回路
３０  基準電圧発生回路
４０  電圧レベル検出回路
２００  制御装置
２１０  レギュレータ
２２０  コンピュータ
２３０  切替スイッチ回路
２４０  平滑回路
３１０  出力平滑用キャパシタ
３２０、３３０  負荷装置
Ｖｃｃ  電源電圧
Ｖｏｕｔ  出力電圧
ＳＴＢ  動作指令信号
Ｖｓｔｂ  動作指令電圧
Ｖｒｅｆ  基準電圧
Ｖｆｂ  帰還電圧
ＣＥ  チップセレクト信号
Ｖｃｅ  チップセレクト電圧
【図１】
2006133934.tif 000003
【図２】
2006133934.tif 000004
【図３】
2006133934.tif 000005
【手続補正書】
【提出日】平成17年7月12日(2005.7.12)
【手続補正１】
【補正対象書類名】特許請求の範囲
【補正対象項目名】全文
【補正方法】変更
【補正の内容】
【特許請求の範囲】
【請求項１】
電源電圧を調整して所定の出力電圧を出力する出力回路と、前記出力電圧に応じた帰還電圧と基準電圧とを比較し、その比較結果に基づいて前記帰還電圧が前記基準電圧に等しくなるように前記出力回路を制御する誤差増幅回路と、前記基準電圧を発生する基準電圧発生回路とを有し、
外部からの制御信号に応じて前記誤差増幅回路と前記基準電圧発生回路を動作状態にして、前記出力電圧を出力可能状態に制御するとともに、
更に、前記制御信号の電圧を、前記基準電圧発生回路の動作電圧とする、ことを特徴とする電源装置。
【請求項２】
電源電圧を調整して所定の出力電圧を出力する出力回路と、前記出力電圧に応じた帰還電圧と基準電圧とを比較し、その比較結果に基づいて前記帰還電圧が前記基準電圧に等しくなるように前記出力回路を制御する誤差増幅回路と、前記基準電圧を発生する基準電圧発生回路とを有し、外部からの動作指令信号に応じて少なくとも前記誤差増幅回路と前記基準電圧発生回路が動作状態もしくは停止状態に制御される電源装置であって、
前記誤差増幅器は、前記動作指令信号の電圧レベルが、所定電圧レベルを超えるときに動作状態に制御され、所定電圧レベルに達しないときに停止状態に制御され、
前記基準電圧発生回路は、前記動作指令信号の電圧を動作電圧とするとともに、前記動作指令信号の電圧レベルが、所定電圧レベルを超えるときに動作状態に制御され、所定電圧レベルに達しないときに停止状態に制御される、ことを特徴とする、電源装置。
【請求項３】
前記動作指令信号の電圧レベルが前記所定電圧レベルを超えるかどうかを検出する電圧レベル検出回路を有し、この電圧レベル検出回路の検出結果に応じて前記基準電圧発生回路及び前記誤差増幅器の動作状態もしくは停止状態が決定されることを特徴とする、請求項２に記載の電源装置。
【請求項４】
電源電圧を発生する電池電源と、
前記電源電圧を調整して所定の出力電圧を出力する出力回路と、前記出力電圧に応じた帰還電圧と基準電圧とを比較し、その比較結果に基づいて前記帰還電圧が前記基準電圧に等しくなるように前記出力回路を制御する誤差増幅回路と、前記基準電圧を発生する基準電圧発生回路とを有し、外部からの制御信号に応じて前記誤差増幅回路と前記基準電圧発生回路を動作状態にして、前記出力電圧を出力可能状態に制御するとともに、更に前記制御信号の電圧を前記基準電圧発生回路の動作電圧とする電源装置と、
前記制御信号を発生する制御装置と、
前記出力電圧が供給される負荷装置と、を備えることを特徴とする、携帯機器。
【請求項５】
電源電圧を発生する電池電源と、
前記電源電圧を調整して所定の出力電圧を出力する出力回路と、前記出力電圧に応じた帰還電圧と基準電圧とを比較し、その比較結果に基づいて前記帰還電圧が前記基準電圧に等しくなるように前記出力回路を制御する誤差増幅回路と、前記基準電圧を発生する基準電圧発生回路とを有し、外部からの動作指令信号に応じて少なくとも前記誤差増幅回路と前記基準電圧発生回路が動作状態もしくは停止状態に制御される電源装置であって、前記誤差増幅器は、前記動作指令信号の電圧レベルが、所定電圧レベルを超えるときに動作状態に制御され、所定電圧レベルに達しないときに停止状態に制御され、前記基準電圧発生回路は、前記動作指令信号の電圧を動作電圧とするとともに、前記動作指令信号の電圧レベルが、所定電圧レベルを超えるときに動作状態に制御され、所定電圧レベルに達しないときに停止状態に制御される電源装置と、
前記動作指令信号を発生する制御装置と、
前記出力電圧が供給される負荷装置と、を備えることを特徴とする、携帯機器。
【請求項６】
電源電圧を発生する電池電源と、
前記電源電圧を調整して所定の出力電圧を出力する出力回路と、前記出力電圧に応じた帰還電圧と基準電圧とを比較し、その比較結果に基づいて前記帰還電圧が前記基準電圧に等しくなるように前記出力回路を制御する誤差増幅回路と、前記基準電圧を発生する基準電圧発生回路とを有し、外部からの動作指令信号に応じて少なくとも前記誤差増幅回路と前記基準電圧発生回路が動作状態もしくは停止状態に制御される電源装置であって、前記誤差増幅器は、前記動作指令信号の電圧レベルが、所定電圧レベルを超えるときに動作状態に制御され、所定電圧レベルに達しないときに停止状態に制御され、前記基準電圧発生回路は、前記動作指令信号の電圧を動作電圧とするとともに、前記動作指令信号の電圧レベルが、所定電圧レベルを超えるときに動作状態に制御され、所定電圧レベルに達しないときに停止状態に制御される電源装置と、
前記電源電圧を平滑して前記動作指令信号として出力する平滑回路と、
前記出力電圧が供給される負荷装置と、を備えることを特徴とする、携帯機器。
【請求項７】
前記電源装置は、前記動作指令信号の電圧レベルが前記所定電圧レベルを超えるかどうかを検出する電圧レベル検出回路を有し、この電圧レベル検出回路の検出結果に応じて前記基準電圧発生回路及び前記誤差増幅器の動作状態もしくは停止状態が決定されることを特徴とする、請求項５または６に記載の携帯機器。
【手続補正２】
【補正対象書類名】明細書
【補正対象項目名】０００９
【補正方法】変更
【補正の内容】
【０００９】
請求項１の電源装置、電源電圧を調整して所定の出力電圧を出力する出力回路と、前記出力電圧に応じた帰還電圧と基準電圧とを比較し、その比較結果に基づいて前記帰還電圧が前記基準電圧に等しくなるように前記出力回路を制御する誤差増幅回路と、前記基準電圧を発生する基準電圧発生回路とを有し、
外部からの制御信号に応じて前記誤差増幅回路と前記基準電圧発生回路を動作状態にして、前記出力電圧を出力可能状態に制御するとともに、
更に、前記制御信号の電圧を、前記基準電圧発生回路の動作電圧とする、ことを特徴とする。
【手続補正３】
【補正対象書類名】明細書
【補正対象項目名】００１０
【補正方法】変更
【補正の内容】
【００１０】
請求項２の電源装置は、電源電圧を調整して所定の出力電圧を出力する出力回路と、前記出力電圧に応じた帰還電圧と基準電圧とを比較し、その比較結果に基づいて前記帰還電圧が前記基準電圧に等しくなるように前記出力回路を制御する誤差増幅回路と、前記基準電圧を発生する基準電圧発生回路とを有し、外部からの動作指令信号に応じて少なくとも前記誤差増幅回路と前記基準電圧発生回路が動作状態もしくは停止状態に制御される電源装置であって、
前記誤差増幅器は、前記動作指令信号の電圧レベルが、所定電圧レベルを超えるときに動作状態に制御され、所定電圧レベルに達しないときに停止状態に制御され、
前記基準電圧発生回路は、前記動作指令信号の電圧を動作電圧とするとともに、前記動作指令信号の電圧レベルが、所定電圧レベルを超えるときに動作状態に制御され、所定電圧レベルに達しないときに停止状態に制御される、ことを特徴とする、。
【手続補正４】
【補正対象書類名】明細書
【補正対象項目名】００１１
【補正方法】変更
【補正の内容】
【００１１】
請求項３の電源装置は、請求項２に記載の電源装置において、前記動作指令信号の電圧レベルが前記所定電圧レベルを超えるかどうかを検出する電圧レベル検出回路を有し、この電圧レベル検出回路の検出結果に応じて前記基準電圧発生回路及び前記誤差増幅器の動作状態もしくは停止状態が決定されることを特徴とする。
【手続補正５】
【補正対象書類名】明細書
【補正対象項目名】００１２
【補正方法】変更
【補正の内容】
【００１２】
請求項４の携帯機器は、電源電圧を発生する電池電源と、
前記電源電圧を調整して所定の出力電圧を出力する出力回路と、前記出力電圧に応じた帰還電圧と基準電圧とを比較し、その比較結果に基づいて前記帰還電圧が前記基準電圧に等しくなるように前記出力回路を制御する誤差増幅回路と、前記基準電圧を発生する基準電圧発生回路とを有し、外部からの制御信号に応じて前記誤差増幅回路と前記基準電圧発生回路を動作状態にして、前記出力電圧を出力可能状態に制御するとともに、更に前記制御信号の電圧を前記基準電圧発生回路の動作電圧とする電源装置と、
前記制御信号を発生する制御装置と、
前記出力電圧が供給される負荷装置と、を備えることを特徴とする。
【手続補正６】
【補正対象書類名】明細書
【補正対象項目名】００１３
【補正方法】変更
【補正の内容】
【００１３】
請求項５の携帯機器は、電源電圧を発生する電池電源と、
前記電源電圧を調整して所定の出力電圧を出力する出力回路と、前記出力電圧に応じた帰還電圧と基準電圧とを比較し、その比較結果に基づいて前記帰還電圧が前記基準電圧に等しくなるように前記出力回路を制御する誤差増幅回路と、前記基準電圧を発生する基準電圧発生回路とを有し、外部からの動作指令信号に応じて少なくとも前記誤差増幅回路と前記基準電圧発生回路が動作状態もしくは停止状態に制御される電源装置であって、前記誤差増幅器は、前記動作指令信号の電圧レベルが、所定電圧レベルを超えるときに動作状態に制御され、所定電圧レベルに達しないときに停止状態に制御され、前記基準電圧発生回路は、前記動作指令信号の電圧を動作電圧とするとともに、前記動作指令信号の電圧レベルが、所定電圧レベルを超えるときに動作状態に制御され、所定電圧レベルに達しないときに停止状態に制御される電源装置と、
前記動作指令信号を発生する制御装置と、
前記出力電圧が供給される負荷装置と、を備えることを特徴とする。
【手続補正７】
【補正対象書類名】明細書
【補正対象項目名】００１４
【補正方法】変更
【補正の内容】
【００１４】
請求項６の携帯機器は、電源電圧を発生する電池電源と、
前記電源電圧を調整して所定の出力電圧を出力する出力回路と、前記出力電圧に応じた帰還電圧と基準電圧とを比較し、その比較結果に基づいて前記帰還電圧が前記基準電圧に等しくなるように前記出力回路を制御する誤差増幅回路と、前記基準電圧を発生する基準電圧発生回路とを有し、外部からの動作指令信号に応じて少なくとも前記誤差増幅回路と前記基準電圧発生回路が動作状態もしくは停止状態に制御される電源装置であって、前記誤差増幅器は、前記動作指令信号の電圧レベルが、所定電圧レベルを超えるときに動作状態に制御され、所定電圧レベルに達しないときに停止状態に制御され、前記基準電圧発生回路は、前記動作指令信号の電圧を動作電圧とするとともに、前記動作指令信号の電圧レベルが、所定電圧レベルを超えるときに動作状態に制御され、所定電圧レベルに達しないときに停止状態に制御される電源装置と、
前記電源電圧を平滑して前記動作指令信号として出力する平滑回路と、
前記出力電圧が供給される負荷装置と、を備えることを特徴とする。
【手続補正８】
【補正対象書類名】明細書
【補正対象項目名】００１５
【補正方法】変更
【補正の内容】
【００１５】
請求項７の携帯機器は、請求項５または６に記載の携帯機器において、前記電源装置は、前記動作指令信号の電圧レベルが前記所定電圧レベルを超えるかどうかを検出する電圧レベル検出回路を有し、この電圧レベル検出回路の検出結果に応じて前記基準電圧発生回路及び前記誤差増幅器の動作状態もしくは停止状態が決定されることを特徴とする。
【手続補正書】
【提出日】平成17年9月30日(2005.9.30)
【手続補正１】
【補正対象書類名】特許請求の範囲
【補正対象項目名】全文
【補正方法】変更
【補正の内容】
【特許請求の範囲】
【請求項１】
電源電圧を調整して所定の出力電圧を出力する出力回路と、前記出力電圧に応じた帰還電圧と基準電圧とを比較し、その比較結果に基づいて前記帰還電圧が前記基準電圧に等しくなるように前記出力回路を制御する誤差増幅回路と、定電圧回路を含んでおり、動作電圧を受けて前記基準電圧を発生する基準電圧発生回路とを有し、
外部から供給され、前記電源電圧よりも安定した電圧の制御信号に応じて前記誤差増幅回路と前記基準電圧発生回路を動作状態にして、前記出力電圧を出力可能状態に制御するとともに、
更に、前記制御信号の安定した電圧を、前記基準電圧発生回路に前記動作電圧として供給し、前記基準電圧を発生させる、ことを特徴とする電源装置。
【請求項２】
電源電圧を調整して所定の出力電圧を出力する出力回路と、前記出力電圧に応じた帰還電圧と基準電圧とを比較し、その比較結果に基づいて前記帰還電圧が前記基準電圧に等しくなるように前記出力回路を制御する誤差増幅回路と、定電圧回路を含んでおり、動作電圧を受けて前記基準電圧を発生する基準電圧発生回路とを有し、外部から供給され、前記電源電圧よりも安定した電圧の動作指令信号に応じて少なくとも前記誤差増幅回路と前記基準電圧発生回路が動作状態もしくは停止状態に制御される電源装置であって、
前記誤差増幅器は、前記動作指令信号の電圧レベルが、所定電圧レベルを超えるときに動作状態に制御され、所定電圧レベルに達しないときに停止状態に制御され、
前記基準電圧発生回路は、前記動作指令信号の安定した電圧が前記動作電圧として供給されるとともに、前記動作指令信号の電圧レベルが、所定電圧レベルを超えるときに動作状態に制御され前記基準電圧を発生させ、所定電圧レベルに達しないときに停止状態に制御される、ことを特徴とする、電源装置。
【請求項３】
前記動作指令信号の電圧レベルが前記所定電圧レベルを超えるかどうかを検出する電圧レベル検出回路を有し、この電圧レベル検出回路の検出結果に応じて前記基準電圧発生回路及び前記誤差増幅器の動作状態もしくは停止状態が決定されることを特徴とする、請求項２に記載の電源装置。
【請求項４】
電源電圧を発生する電池電源と、
前記電源電圧を調整して所定の出力電圧を出力する出力回路と、前記出力電圧に応じた帰還電圧と基準電圧とを比較し、その比較結果に基づいて前記帰還電圧が前記基準電圧に等しくなるように前記出力回路を制御する誤差増幅回路と、定電圧回路を含んでおり、動作電圧を受けて前記基準電圧を発生する基準電圧発生回路とを有し、外部から供給され、前記電源電圧よりも安定した電圧の制御信号に応じて前記誤差増幅回路と前記基準電圧発生回路を動作状態にして、前記出力電圧を出力可能状態に制御するとともに、更に前記制御信号の安定した電圧を前記基準電圧発生回路に前記動作電圧として供給し、前記基準電圧を発生させる、電源装置と、
前記制御信号を発生する制御装置と、
前記出力電圧が供給される負荷装置と、を備えることを特徴とする、携帯機器。
【請求項５】
電源電圧を発生する電池電源と、
前記電源電圧を調整して所定の出力電圧を出力する出力回路と、前記出力電圧に応じた帰還電圧と基準電圧とを比較し、その比較結果に基づいて前記帰還電圧が前記基準電圧に等しくなるように前記出力回路を制御する誤差増幅回路と、定電圧回路を含んでおり、動作電圧を受けて前記基準電圧を発生する基準電圧発生回路とを有し、外部から供給され、前記電源電圧よりも安定した電圧の動作指令信号に応じて少なくとも前記誤差増幅回路と前記基準電圧発生回路が動作状態もしくは停止状態に制御される電源装置であって、前記誤差増幅器は、前記動作指令信号の電圧レベルが、所定電圧レベルを超えるときに動作状態に制御され、所定電圧レベルに達しないときに停止状態に制御され、前記基準電圧発生回路は、前記動作指令信号の安定した電圧が前記動作電圧として供給されるとともに、前記動作指令信号の電圧レベルが、所定電圧レベルを超えるときに動作状態に制御され前記基準電圧を発生させ、所定電圧レベルに達しないときに停止状態に制御される電源装置と、
前記動作指令信号を発生する制御装置と、
前記出力電圧が供給される負荷装置と、を備えることを特徴とする、携帯機器。
【請求項６】
電源電圧を発生する電池電源と、
前記電源電圧を調整して所定の出力電圧を出力する出力回路と、前記出力電圧に応じた帰還電圧と基準電圧とを比較し、その比較結果に基づいて前記帰還電圧が前記基準電圧に等しくなるように前記出力回路を制御する誤差増幅回路と、定電圧回路を含んでおり、動作電圧を受けて前記基準電圧を発生する基準電圧発生回路とを有し、外部から供給され、前記電源電圧よりも安定した電圧の動作指令信号に応じて少なくとも前記誤差増幅回路と前記基準電圧発生回路が動作状態もしくは停止状態に制御される電源装置であって、前記誤差増幅器は、前記動作指令信号の電圧レベルが、所定電圧レベルを超えるときに動作状態に制御され、所定電圧レベルに達しないときに停止状態に制御され、前記基準電圧発生回路は、前記動作指令信号の安定した電圧が前記動作電圧として供給されるとともに、前記動作指令信号の電圧レベルが、所定電圧レベルを超えるときに動作状態に制御され前記基準電圧を発生させ、所定電圧レベルに達しないときに停止状態に制御される電源装置と、
前記電源電圧を平滑して前記動作指令信号として出力する平滑回路と、
前記出力電圧が供給される負荷装置と、を備えることを特徴とする、携帯機器。
【請求項７】
前記電源装置は、前記動作指令信号の電圧レベルが前記所定電圧レベルを超えるかどうかを検出する電圧レベル検出回路を有し、この電圧レベル検出回路の検出結果に応じて前記基準電圧発生回路及び前記誤差増幅器の動作状態もしくは停止状態が決定されることを特徴とする、請求項５または６に記載の携帯機器。
【手続補正２】
【補正対象書類名】明細書
【補正対象項目名】０００９
【補正方法】変更
【補正の内容】
【０００９】
請求項１の電源装置は、電源電圧を調整して所定の出力電圧を出力する出力回路と、前記出力電圧に応じた帰還電圧と基準電圧とを比較し、その比較結果に基づいて前記帰還電圧が前記基準電圧に等しくなるように前記出力回路を制御する誤差増幅回路と、定電圧回路を含んでおり、動作電圧を受けて前記基準電圧を発生する基準電圧発生回路とを有し、
外部から供給され、前記電源電圧よりも安定した電圧の制御信号に応じて前記誤差増幅回路と前記基準電圧発生回路を動作状態にして、前記出力電圧を出力可能状態に制御するとともに、
更に、前記制御信号の安定した電圧を、前記基準電圧発生回路に前記動作電圧として供給し、前記基準電圧を発生させる、ことを特徴とする。
【手続補正３】
【補正対象書類名】明細書
【補正対象項目名】００１０
【補正方法】変更
【補正の内容】
【００１０】
請求項２の電源装置は、電源電圧を調整して所定の出力電圧を出力する出力回路と、前記出力電圧に応じた帰還電圧と基準電圧とを比較し、その比較結果に基づいて前記帰還電圧が前記基準電圧に等しくなるように前記出力回路を制御する誤差増幅回路と、定電圧回路を含んでおり、動作電圧を受けて前記基準電圧を発生する基準電圧発生回路とを有し、外部から供給され、前記電源電圧よりも安定した電圧の動作指令信号に応じて少なくとも前記誤差増幅回路と前記基準電圧発生回路が動作状態もしくは停止状態に制御される電源装置であって、
前記誤差増幅器は、前記動作指令信号の電圧レベルが、所定電圧レベルを超えるときに動作状態に制御され、所定電圧レベルに達しないときに停止状態に制御され、
前記基準電圧発生回路は、前記動作指令信号の安定した電圧が前記動作電圧として供給されるとともに、前記動作指令信号の電圧レベルが、所定電圧レベルを超えるときに動作状態に制御され前記基準電圧を発生させ、所定電圧レベルに達しないときに停止状態に制御される、ことを特徴とする。
【手続補正４】
【補正対象書類名】明細書
【補正対象項目名】００１２
【補正方法】変更
【補正の内容】
【００１２】
請求項４の携帯機器は、電源電圧を発生する電池電源と、
前記電源電圧を調整して所定の出力電圧を出力する出力回路と、前記出力電圧に応じた帰還電圧と基準電圧とを比較し、その比較結果に基づいて前記帰還電圧が前記基準電圧に等しくなるように前記出力回路を制御する誤差増幅回路と、定電圧回路を含んでおり、動作電圧を受けて前記基準電圧を発生する基準電圧発生回路とを有し、外部から供給され、前記電源電圧よりも安定した電圧の制御信号に応じて前記誤差増幅回路と前記基準電圧発生回路を動作状態にして、前記出力電圧を出力可能状態に制御するとともに、更に前記制御信号の安定した電圧を前記基準電圧発生回路に前記動作電圧として供給し、前記基準電圧を発生させる、電源装置と、
前記制御信号を発生する制御装置と、
前記出力電圧が供給される負荷装置と、を備えることを特徴とする。
【手続補正５】
【補正対象書類名】明細書
【補正対象項目名】００１３
【補正方法】変更
【補正の内容】
【００１３】
請求項５の携帯機器は、電源電圧を発生する電池電源と、
前記電源電圧を調整して所定の出力電圧を出力する出力回路と、前記出力電圧に応じた帰還電圧と基準電圧とを比較し、その比較結果に基づいて前記帰還電圧が前記基準電圧に等しくなるように前記出力回路を制御する誤差増幅回路と、定電圧回路を含んでおり、動作電圧を受けて前記基準電圧を発生する基準電圧発生回路とを有し、外部から供給され、前記電源電圧よりも安定した電圧の動作指令信号に応じて少なくとも前記誤差増幅回路と前記基準電圧発生回路が動作状態もしくは停止状態に制御される電源装置であって、前記誤差増幅器は、前記動作指令信号の電圧レベルが、所定電圧レベルを超えるときに動作状態に制御され、所定電圧レベルに達しないときに停止状態に制御され、前記基準電圧発生回路は、前記動作指令信号の安定した電圧が前記動作電圧として供給されるとともに、前記動作指令信号の電圧レベルが、所定電圧レベルを超えるときに動作状態に制御され前記基準電圧を発生させ、所定電圧レベルに達しないときに停止状態に制御される電源装置と、
前記動作指令信号を発生する制御装置と、
前記出力電圧が供給される負荷装置と、を備えることを特徴とする。
【手続補正６】
【補正対象書類名】明細書
【補正対象項目名】００１４
【補正方法】変更
【補正の内容】
【００１４】
請求項６の携帯機器は、電源電圧を発生する電池電源と、
前記電源電圧を調整して所定の出力電圧を出力する出力回路と、前記出力電圧に応じた帰還電圧と基準電圧とを比較し、その比較結果に基づいて前記帰還電圧が前記基準電圧に等しくなるように前記出力回路を制御する誤差増幅回路と、定電圧回路を含んでおり、動作電圧を受けて前記基準電圧を発生する基準電圧発生回路とを有し、外部から供給され、前記電源電圧よりも安定した電圧の動作指令信号に応じて少なくとも前記誤差増幅回路と前記基準電圧発生回路が動作状態もしくは停止状態に制御される電源装置であって、前記誤差増幅器は、前記動作指令信号の電圧レベルが、所定電圧レベルを超えるときに動作状態に制御され、所定電圧レベルに達しないときに停止状態に制御され、前記基準電圧発生回路は、前記動作指令信号の安定した電圧が前記動作電圧として供給されるとともに、前記動作指令信号の電圧レベルが、所定電圧レベルを超えるときに動作状態に制御され前記基準電圧を発生させ、所定電圧レベルに達しないときに停止状態に制御される電源装置と、
前記電源電圧を平滑して前記動作指令信号として出力する平滑回路と、
前記出力電圧が供給される負荷装置と、を備えることを特徴とする。